(57)【要約】      （修正有）【課題】レフィル容器を、上端周縁にフランジを設けた薄肉のカップ状容器として、外装容器に設けた押圧操作板を押圧することによって、レフィル容器とポンプ付外装容器とを簡単に装着、取外しができるようにした複合容器を提供すること。【解決手段】複合容器は、ポンプＢを取着した外装容器Ａと、薄肉のレフィル容器Ｃとからなる複合容器であって、レフィル容器Ｃは、上端にフランジ２２を設け、その上面にシール２４を貼着したカップ状容器であり、外装容器Ａは、上記フランジ２２に係合してレフィル容器Ｃを保持する押圧操作板５が設けられていることを特徴とし、レフィル容器Ｃは、上端にフランジ２２を設けた胴壁２０と底壁２１とからなる薄肉のカップ状容器であり、フランジ２２の上面に、中央に開口を穿孔したシール２４を貼着するとともに、該シール２４に開口を覆うシールを貼着したことを特徴とする。【選択図】図１
2006206094.tif 000002
【特許請求の範囲】
【請求項１】
ポンプを取着した外装容器と、薄肉のレフィル容器とからなる複合容器であって、
レフィル容器は、上端にフランジを設け、その上面にシールを貼着したカップ状容器であり、
外装容器は、上記フランジに係合してレフィル容器を保持する押圧操作板が設けられていることを特徴とする複合容器。
【請求項２】
レフィル容器が、上端にフランジを設けた胴壁と底壁とからなる薄肉のカップ状容器であり、フランジの上面に、中央に開口を穿孔したシールを貼着するとともに、該シールに開口を覆うシールを貼着したことを特徴とするレフィル容器。
【請求項３】
容器が、大気導入孔を穿孔した外層と内層とからなるデラミ容器であることを特徴とする請求項２記載のレフィル容器。
【請求項４】
容器の底壁が、胴壁下端より一定高さ上方に設けられており、底壁下面に連結片を介して把持リングを設けたことを特徴とする請求項２記載のレフィル容器。
【請求項５】
容器の底壁が、中央を凹部とした湾曲面によって形成され、周辺部に糸底が設けられていることを特徴とする請求項２記載のレフィル容器。
【請求項６】
外装容器が、口筒部を立設した頂壁と胴壁とからなり、
口筒部には、ポンプが装着され、
口筒部内周に沿って、頂壁から空気導入管が垂設されていることを特徴とする請求項１記載の外装容器。
【請求項７】
空気導入管の下方に、ポンプの吸込みパイプに代わる吸込み筒が連設されていることを特徴とする請求項６記載の外装容器。
【請求項８】
外装容器が、口筒部を立設した頂壁と胴壁とからなり、
胴壁下端の対向する位置に、山形状の切欠窓が穿設されていることを特徴とする請求項１記載の外装容器。
【請求項９】
外装容器に設けられた押圧操作板が、胴壁にヒンジを残して上下に穿設された溝孔によって形成され、ヒンジ部を軸に廻動可能に胴壁に支持されており、
押圧操作板の上端には、内方に突出し、レフィル容器のフランジに係合する支持片が突設され、押圧操作板下方は押圧部となっていることを特徴とする請求項１記載の外装容器における押圧操作板。
【請求項１０】
頂壁の周縁部に切欠部が設けられ、切欠部に面して頂壁から垂直壁が垂設され、押圧操作板の上方に設けた押圧部が当接可能となっており、
ヒンジ部の下方に、内方に突出し、レフィル容器のフランジに係合する支持片が設けられていることを特徴とする請求項１記載の外装容器における押圧操作板。
【請求項１１】
頂壁の周縁部に切欠部が設けられ、切欠部に面して頂壁から垂直壁が垂設され、押圧操作板の上端に設けたフランジに係合する支持片と、レフィル容器のフランジの係合状態が外方から観察可能となっていることを特徴とする請求項１記載の外装容器における押圧操作板。
【請求項１２】
外装容器が、外層と内層とからなるデラミ容器であって、
外層に押圧操作板を形成する溝孔がヒンジ部を残して上下に穿設されており、押圧操作板にフランジを保持する水平部を設けた凹部が具えられていることを特徴とする請求項１記載の外装容器における押圧操作板。
【請求項１３】
外装容器の押圧操作板が、胴壁にヒンジ部を残して、上下に穿設された溝孔によって形成され、
上方の溝孔の水平部の上下端縁は、内方にコ字形に突出され、
押圧操作板の上端は、レフィル容器のフランジに係合する支持部となっていることを特徴とする請求項１記載の外装容器における押圧操作板。
【発明の詳細な説明】
【技術分野】
【０００１】
本発明は、複合容器と、とくに薄肉のレフィル容器とポンプ付外層容器とからなる複合容器に関するものである。
【背景技術】
【０００２】
ポンプ付外容器と薄肉のレフィル容器とからなり、レフィル容器に、下端部に液体吸入口を形成した吸上げ筒兼用支柱１１を設け、レフィル容器の剛性を強化した複合容器は、従来より知られており（特許文献１参照）、また、レフィル容器として、パウチ状の液体収納袋をポンプ付外容器に収納し、ポンプを下降させ、吸込み用パイプの先端を収納袋に突き刺して液体内に挿入するようにした液注出複合容器も、従来より知られている（特許文献２参照）。  
【特許文献１】特開２００２−２２４５９９号公報
【特許文献２】特開平０９−９５３７６号公報
【発明の開示】
【発明が解決しようとする課題】
【０００３】
しかしながら、上記特許文献１記載の容器では、レフィル容器の口部に吸上げ筒兼用支柱１１を取付けるため、部品が増え、取付け作業も簡単ではないので、レフィル容器のコストが高くなるという問題があった。
また、レフィル容器を外容器内に収納するようにしているので、外容器自体も部品が多くなり、コストがかさむという問題があった。
【０００４】
上記特許文献２記載の容器では、パウチ状収納袋を外容器内に収納し、ポンプ部材を上下動させているので、外容器の部品が多く構造が複雑であるという問題があった。
また、収納袋の交換にあたって、収納袋を外容器の容器本体内に入れ、ポンプ部材を取着した蓋体を螺着し、さらに、ポンプ部材を押下げなければならず、収納袋の交換が簡単にできないという問題があった。
【０００５】
本発明は、上記問題を解決することを課題とし、レフィル容器を、上端周縁にフランジを設けた薄肉のカップ状容器として、外装容器に設けた押圧操作板を押圧することによって、レフィル容器とポンプ付外装容器とを簡単に装着、取外しができるようにした複合容器を提供することを目的とする。
【課題を解決するための手段】
【０００６】
本発明は、上記の課題を解決するため、複合容器として、ポンプを取着した外装容器と、薄肉のレフィル容器とからなる複合容器であって、レフィル容器は、上端にフランジを設け、その上面にシールを貼着したカップ状容器であり、外装容器は、上記フランジに係合してレフィル容器を保持する押圧操作板が設けられていることを特徴とする構成を採用する。
【０００７】
レフィル容器として、レフィル容器が、上端にフランジを設けた胴壁と底壁とからなる薄肉のカップ状容器であり、フランジの上面に、中央に開口を穿孔したシールを貼着するとともに、該シールに開口を覆うシールを貼着したことを特徴とする構成、または、容器が、大気導入孔を穿孔した外層と内層とからなるデラミ容器であることを特徴とする構成を採用する。
【０００８】
レフィル容器の底壁として、容器の底壁が、胴壁下端より一定高さ上方に設けられており、底壁下面に連結片を介して把持リングを設けたことを特徴とする構成、または、容器の底壁が、中央を凹部とした湾曲面によって形成され、周辺部に糸底が設けられていることを特徴とする構成を採用する。
【０００９】
外装容器の口筒部として、外装容器が、口筒部を立設した頂壁と胴壁とからなり、口筒部には、ポンプが装着され、口筒部内周に沿って、頂壁から空気導入管が垂設されていることを特徴とする構成を採用し、また、上記構成に、空気導入管の下方に、ポンプの吸込みパイプに代わる吸込み筒が連設されていることを特徴とする構成を付加する。
【００１０】
外装容器の胴壁として、外装容器が、口筒部を立設した頂壁と胴壁とからなり、胴壁下端の対向する位置に、山形状の切欠窓が穿設されていることを特徴とする構成を採用する。
【００１１】
外装容器の押圧操作板として、外装容器に設けられた押圧操作板が、胴壁にヒンジを残して上下に穿設された溝孔によって形成され、ヒンジ部を軸に廻動可能に胴壁に支持されており、押圧操作板の上端には、内方に突出し、レフィル容器のフランジに係合する支持片が突設され、押圧操作板下方は押圧部となっていることを特徴とする構成を採用する。
【００１２】
押圧操作板の別実施例として、頂壁の周縁部に切欠部が設けられ、切欠部に面して頂壁から垂直壁が垂設され、押圧操作板の上方に設けた押圧部が当接可能となっており、ヒンジ部の下方に、内方に突出し、レフィル容器のフランジに係合する支持片が設けられていることを特徴とする構成、または、頂壁の周縁部に切欠部が設けられ、切欠部に面して頂壁から垂直壁が垂設され、押圧操作板の上端に設けたフランジに係合する支持片と、レフィル容器のフランジの係合状態が外方から観察可能となっていることを特徴とする構成を採用する。
【００１３】
外装容器と押圧操作板の別実施例として、外装容器が、外層と内層とからなるデラミ容器であって、外層に押圧操作板を形成する溝孔がヒンジ部を残して上下に穿設されており、押圧操作板にフランジを保持する水平部を設けた凹部が具えられていることを特徴とする構成を採用する。
【００１４】
外装容器の押圧操作板の別実施例として、外装容器の押圧操作板が、胴壁にヒンジ部を残して、上下に穿設された溝孔によって形成され、上方の溝孔の水平部の上下端縁は、内方にコ字形に突出され、押圧操作板の上端は、レフィル容器のフランジに係合する支持部となっていることを特徴とする構成を採用する。
【発明の効果】
【００１５】
レフィル容器として、上端にフランジを設けた容器本体を使用し、ポンプを取着した外装容器の胴壁に、上記フランジに係合してレフィル容器を保持する支持部を設けた押圧操作板を形成し、押圧操作板を押圧操作することによって、支持部とフランジを係脱自在としたから、レフィル容器の装着、取外しが、きわめて簡単にできるようになった。
【００１６】
レフィル容器は、上端にフランジを突設したカップ状容器であるので、熱成形によって容器に成形することができ、薄肉にすることもできる。
また、内容物を充填した後に、フランジの上面にシールを貼着することによって内容物を収納しているので、容器を過剰包装することもなく、使用後の廃棄も減容して廃棄できる。
【００１７】
ポンプ付外装容器は、反復使用するので、省資源、廃棄物の減容に役立てることができる。
【発明を実施するための最良の形態】
【００１８】
本発明は、ポンプ付外装容器と、薄肉のカップ状レフィル容器とから構成される複合容器であり、内容液として、シャンプー、リンス、ボディソープ等の家庭用品、その他が使用される。
次に、様々な実施例について図面を参照して説明する。
【実施例１】
【００１９】
図１において、ＡはポンプＢを取着した外装容器、Ｃはレフィル容器である。
外装容器Ａは、中央に口筒部１を立設した頂壁２と、胴壁３とからなっており、口筒部１の外周には、ねじ４が螺設されている。
胴壁３は、断面円形となっており、対向する位置に一対となる押圧操作板５が設けられている。
【００２０】
図１、２に示すように、押圧操作板５は、水平に配置されたヒンジ部６の上下に穿孔された上方のコ字形の溝孔７と、下方のＵ字形の溝孔８に囲まれた壁面によって形成され、ヒンジ部６を軸に、下方の押圧部９を押圧することによって廻動可能になっている。
押圧操作板５の上端縁内面には、上面１０を水平面とした支持片１１が突設されており、押圧操作板５の溝孔７の上方には、頂壁２と胴壁３の内面にリブ１２が突設されている。
【００２１】
胴壁３の押圧操作板５下方には、胴壁３下端から少なくとも指先が挿入できる巾と、一定の高さを有する山形状の切欠窓１３が穿設されている。
外装容器Ａは、射出成形によって成形されている。
【００２２】
図１、２に示すように、ポンプＢは、ピストンを内蔵したシリンダー１５と、シリンダー１５の下端に連設された吸込みパイプ１６とを具えており、ピストンの上端には、吐出ノズルを設けたノズルヘッド１７が取着されている。
ポンプＢは、内周にねじ４に螺合するねじ１８ａを螺設した取付キャップ１８によって外装容器Ａの口筒部１に取着されている。
ポンプＢは、ノズルヘッド１７の押下げ操作に応じて、吸込みパイプ１６を通じてレフィル容器Ｃ内の内容液を吸上げ、吐出ノズルから吐出する公知のものであるので、詳しい説明は省略する。
【００２３】
図１、３に示すように、レフィル容器Ｃは、断面円形の胴壁２０と底壁２１とから構成されており、胴壁２０の上端には、フランジ２２が突設されている。
該フランジ２２上面には、中央にポンプＢのシリンダー１５より小径の開口２３を穿孔したシール２４が溶着されており、シール２４には、開口２３を覆うように摘み２５を設けたシール２６が貼着されている。
レフィル容器は、熱成形によって薄肉のカップ状成形品に成形されている。
【００２４】
次に、本実施例の複合容器の使用態様と作用効果について説明する。
レフィル容器Ｃには、内容物を充填した後に、中央にシール２６を貼着したシール２４が胴壁２０のフランジ２２上面に溶着され、内容物が充填されたレフィル容器Ｃが得られる。
【００２５】
一方、外装容器Ａには、その口筒部１に、取付キャップ１８によりポンプＢが取着され、ポンプ付外装容器Ａとレフィル容器Ｃとして市販される。
【００２６】
使用にあたって、レフィル容器Ｃのポンプ付き外装容器Ａへの装着には、まず、摘み２５を摘んで、シール２６をシール２４天面からはがし、開口２３を開孔する。
【００２７】
次いで、外装容器Ａの胴壁３の押圧操作板５の押圧部９を手指で押圧しながら、ポンプＢの吸込みパイプ１６を開口２３に差込み、リブ１２がレフィル容器Ｃのフランジ２２に当接するまで外装容器Ａを押下げ、次いで、押圧操作板５への押圧を解くと、押圧操作板５はヒンジ部６を中心に反転して、支持片１１がフランジ２２の下面に係合して、レフィル容器Ｃを定位置に締着させることができる。
【００２８】
内容液の吐出にあたって、公知のポンプと同様にして、ノズルヘッド１７を上下動操作すると、レフィル容器Ｃから内容液を吸上げ、吐出ノズルから吐出することができる。
その際、胴壁３下端に山形の切欠窓１３が設けられているから、残液の量を複合容器の外側から視認することができる。
【００２９】
内容液を使いきったときには、押圧操作板５の押圧部９を押圧すると、ヒンジ部６を軸に押圧操作板５が廻動して、支持片１１がレフィル容器Ｃのフランジ２２から離れ、外装容器Ａを持ち上げると、レフィル容器Ｃを外装容器Ａから取出すことができる。
その際、切欠窓１３から手指を差込み、レフィル容器Ｃを掴んで引出すことができる。
したがって、外装容器Ａへのレフィル容器Ｃの装着、取外しは、押圧操作板５を押圧操作するだけで、きわめて簡単にできるようになっている。
【００３０】
次いで、ポンプ付き外装容器Ａに新しいレフィル容器Ｃを装着し、複合容器として前と同様に使用する。
使い終わったレフィルＣ容器は、減容させて廃棄することができる。
ポンプ付きの外装容器Ａは、反復使用でき、レフィル容器Ｃは、薄肉の成形品であるので、省資源、廃棄物の減容に役立てることができる。
【実施例２】
【００３１】
次に、外装容器と、レフィル容器の形状を変更した第２実施例について説明する。
第２実施例は、ポンプの押下げ操作にあたって、レフィル容器内が負圧になったときに、充分な空気を容器内に流入できるようにしたものである。
第１実施例と同一の構成については、同一の符号に添字ａを付して簡単に説明し、相違点を中心に説明する。
【００３２】
図４、５において、Ａａは外装容器、Ｂａはポンプ、Ｃａはレフィル容器である。
外装容器Ａａは、中央に口筒部１ａを立設した頂壁２ａと胴壁３ａとからなっており、口筒部１ａの内周縁に沿って空気導入管３０が垂設され、その下方は縮径部３１となっており、ポンプＢａのシリンダーとの間に、エアを通す間隙をおくとともに、下端は斜めにカットされている。
【００３３】
外容器Ａａの押圧操作板５ａは、前記第１実施例と同一の形状を有しているが、レフィル容器の支持部は、図５に示すように、上端を水平とした一対の縦リブ１１ａによって形成されており、その上方には、頂壁２ａと胴壁３ａの内面に、リブ１２ａが架設されている。
その他の外装容器ＡａとポンプＢａの構成は、前第１実施例と同一であるので、説明は省略する。
【００３４】
レフィル容器Ｃａは、上端にフランジ３２を設け、上部近くに段部３３を設けた傾斜する胴壁３４と、底壁３５とからなっている。
フランジ３２には、第１実施例と同様に、中央に空気導入管３０の外径より小径の開口２３ａを穿孔したシール２４ａが溶着されており、シール２４ａには、開口２３ａを覆うように、シールが貼着されている（図示しない）。
【００３５】
次に、本実施例の作用効果について説明する。
レフィル容器Ｃａの外装容器Ａａへの装着や、取外しにあたっては、第１実施例と同様の作用効果をもたらすことができる。
使用にあたっては、空気導入管３０を通じて、ポンプＢａのシリンダー１５ａに設けられた空気孔より空気が流入されるので、ノズルヘッドの操作時には、空気が流入され、レフィル容器内が負圧となることはなく、内容液の吐出が容易に行われることになる。
【００３６】
上記実施例では、ポンプＢａの周りに空気導入管３０を配設したが、図６に示すように、ポンプＢａの吸込みパイプをなくし、空気導入管を延長してその下方に筒体を連設して、該筒体を吸込みパイプに代えるようにしてもよい。
【００３７】
図６に示すように、空気導入管３０は、拡径部３６ａと縮径部３６ｂとからなり、拡径部３６ａの下部端部には連通孔３７が設けられている。
縮径部３６ｂの下端には、ポンプＢａのシリンダー１５ａの下端部が嵌挿される嵌挿環３８が設けられ、その下方には、吸込み筒３９が連設されている。
【００３８】
内容液の吐出にあたっては、吸込み筒３９を介して、内容液をポンプＢａのシリンダー内に吸上げられ、吐出ノズルより吐出される。
そのときには、シリンダーに設けた空気孔より空気導入管３０を通じて空気が容器内に導入される。  
【００３９】
また、レフィル容器Ｃａとして、図７に示すように、空気導入孔４０を設けた外層４１と内層４２とからなるデラミ容器を用いてもよい。
容器の成形は、積層シートの熱成形によって成形され、成形後に空気導入孔４０が穿孔される。
【００４０】
使用にあたって、内容液の吐出に応じて容器内が負圧になると、空気導入孔４０から空気が導入され、内層４２が剥離するので、レフィル容器Ｃａの外層４１の形状は変形しない。
【００４１】
上記第２実施例では、いずれの場合にも、内容液の吐出に応じて、レフィル容器内に空気が導入され、レフィル容器の変形を阻止するという作用効果を得ることができる。
【実施例３】
【００４２】
次に、外装容器の押圧操作板の形状を変更するとともに、レフィル容器の底面に把持リングを設けた第３実施例について説明する。
【００４３】
図８において、Ａｂは外装容器、Ｂｂはポンプ、Ｃｂはレフィル容器である。
外装容器Ａｂは、中央に口筒部１ｂを立設した頂壁２ｂと胴壁３ｂとからなっており、口筒部１ｂの内周縁に沿って、空気導入管４５が垂設されている。
空気導入管４５は、上方の拡径部４５ａと下方の縮径部４５ｂとからなり、拡径部４５ａの下端部には、連通孔４６が設けられ、縮径部４５ｂの下端部には、ポンプＢｂのシリンダー１５ｂの下端部が嵌挿される嵌挿環４７が設けられている。
嵌挿環４７の下方には、吸込み筒４８が連設されている。
【００４４】
前記第２実施例の変形例と同様に、ポンプＢｂの吸込みパイプをなくし、シリンダー１５ｂの下端が、吸込み筒４８に嵌挿されるようになっている。
【００４５】
図８、９に示すように、頂壁２ｂの周縁部には、対向する位置に切欠部４９が配設され、切欠部４９に面して、頂壁２ｂから垂直壁５０が垂設されており、該垂直壁５０の下端は、胴壁３ｂの切欠部４９側上端との間に、所定の間隔をおいて位置している。
胴壁３ｂの切欠部４９側上端からヒンジ部５１を残すようにして、一対の溝孔５２が穿設され、ヒンジ部５１の下方には、Ｕ字形の溝孔５３が穿設されている。
溝孔５２と溝孔５３に囲まれた部分によって、押圧操作板５ｂが形成されており、切欠部４９側の端部には、支持片５４が設けられている。
【００４６】
レフィル容器Ｃｂは、第２実施例と同様に、上端にフランジ５５を設けた胴壁５６と、該胴壁５６下端から一定高さの位置に設けられた底壁５７とを具えており、底壁５７の下面には、連結片を介して把持リング５８が連設されている。
レフィル容器Ｃｂは、第１実施例、第２実施例と異なり、射出成形によって成形されている。
【００４７】
レフィル容器Ｃｂの交換にあたっては、指先でレフィル容器Ｃｂの胴壁５６の下端部と把持リング５８を掴んでレフィル容器を保持できるので、レフィル容器Ｃｂの持ち運び、外装容器への出し入れが容易にできるようになった。
【００４８】
さらにまた、レフィル容器Ｃｂを外装容器の下方から装着、取外しができるので、交換作業が一層便利に行えるようになった。
【実施例４】
【００４９】
次に、押圧操作板の構成を変更した第４実施例について説明する。
図１０において、Ａｃは外装容器、Ｂｃはポンプ、Ｃｃはレフィル容器である。
ポンプＢｃ、レフィル容器Ｃｃは、前記第２実施例と同様であるので、説明を省略し、外装容器Ａｃについて、前記各実施例と相違する点を中心に説明する。
【００５０】
図１０、１１に示すように、外装容器Ａｃは、口筒部１ｃを立設した頂壁２ｃと胴壁３ｃとからなっており、頂壁２ｃ周縁部には、対向する位置に、切欠部６０が設けられている。
切欠部６０に面して頂壁２ｃから垂直壁６１が垂設されており、垂直壁６１に対向して胴壁３ｃの切欠部６０側上端から突出部６２が突設されている。
【００５１】
突出部６２の両側には、切欠部６０の上端からヒンジ部６３に至る溝孔６４が穿設され、ヒンジ部６３の下方には、溝孔６４に対向して、Ｕ字形の溝孔６５が穿設されている。
溝孔６５の下端近くには、内方に上面を水平面として支持片６６が設けられており、突出部６２とヒンジ部６３の下方の溝孔６５に囲まれた壁面によって、押圧操作板６７が形成されている。
【００５２】
頂壁２ｃには、口筒部１ｃに沿って空気導入管６８が垂設されており、その外側には、切欠部６０に対応する位置に、支持片６６に保持されたレフィル容器のフランジ６９上面近くに達する長さを有する一定巾のリブが垂設されている。
【００５３】
レフィル容器Ｃｃの装着、取外しにあたって、突出部６２を押圧すると、ヒンジ部６３を軸にして押圧操作板６７が廻動し、支持片６６が胴壁３ｃの内周面まで後退するので、レフィル容器Ｃｃの出し入れが妨げなくできる。
レフィル容器Ｃｃの装着時には、突出部６２の押圧を解くと、押圧操作板６７が復元して、支持片６６がレフィル容器Ｃｃのフランジ６９の下面に係合し、レフィル容器Ｃｃを簡単に装着することができる。
【実施例５】
【００５４】
次に、湯水の侵入を防止するようにした外装容器を具えた第５実施例について説明する。
図１２において、Ａｄは外装容器、Ｂｄはポンプ、Ｃｄはレフィル容器である。
ポンプＢｄは第１実施例と同一であり、レフィル容器Ｃｄは第２実施例の変形例と同様のデラミ用器であるので、詳しい説明を省略し、以下相違点を中心に説明する。
【００５５】
外装容器Ａｄは、外層７０と内層７１とから構成されたデラミ容器であって、口筒部１ｄを立設した頂壁２ｄと胴壁３ｄとからなっている。
図１２、１３に示すように、胴壁３ｄの上方の所定位置の外層７０には、ヒンジ部７２を残して上方にコ字形の溝孔７３が、下方にＵ字形の溝孔７４が穿設され、溝孔７３、７４に囲まれる部分によって押圧操作板７５が形成されている。
【００５６】
溝孔７３の内側には、内方に突出する水平な支持面７６を形成した凹部７７が設けられて、レフィル容器Ｃｄ上端のフランジの支持部７８が形成されている。
ヒンジ部７２の下方のＵ字形部分は、押圧部７９となっている。
【００５７】
レフィル容器Ｃｄは、大気導入孔を穿孔した外層と内層とからなる積層シートの熱成形によって成形されたデラミ容器であり、胴壁上端に設けられたフランジ８０は、水平な支持面７６に載置、保持されるようになっている。
【００５８】
本実施例の外装容器Ａｄは、積層ブロー成形によって成形されたデラミ容器となっており、外層７０のみに溝孔７３、７４が穿設されているので、押圧操作時には、溝孔７３の水平部分とＵ字形の溝孔７４の下方部分の一定範囲の内層７１が外層７０から剥離して、操作に影響を与えることはなく、また、レフィル容器Ｃｄの装着使用中には、外装容器の上方から湯水が注がれても、内部に湯水が浸入することが防止される。
【００５９】
次に、外装容器Ａｄを単層とした場合の変形実施例について説明する。
上記実施例では、外装容器として、デラミ容器を用いているが、単層の容器であってもよい。
その場合には、図１４に示すように、押圧操作板７５ａを形成するコ字形の溝孔、Ｕ字形の溝孔を、スリット７３ａ、７４ａとして穿孔する。
【００６０】
押圧操作時には、上記第５実施例と同様に、湯水の侵入を防止することができる。
【実施例６】
【００６１】
次に、押圧操作部の構成を変更した第６実施例について説明する。
図１５、１６において、Ａｅは外装容器、Ｂｅはポンプ、Ｃｅはレフィル容器である。
ポンプＢｅは、第１実施例と同一であり、レフィル容器Ｃｅは、第２実施例の変形例と同様のデラミ容器であるので、詳しい説明を省略し、以下相違点を中心に説明する。
【００６２】
外装容器Ａｅは、口筒部１ｅを立設した頂壁２ｅと胴壁３ｅとからなっている。
胴壁３ｅの上方部には、ヒンジ部８５を残してその上下にコ字形の溝孔８６とＵ字形の溝孔８７が穿設され、溝孔８６と溝孔８７に囲まれた壁面によって押圧操作板８８が形成されている。
コ字形の溝孔８６の水平部８６ａの上下の端縁は、内方にコ字形に突出しており、押圧操作板８８の端縁は、レフィル容器Ｃｅ上端のフランジ８９の支持部９０となっている。
【００６３】
ヒンジ部８５の下方は、押圧部９１となっており、溝孔８６の水平部８６ａの上端縁は、胴壁３ｅから内方に延びる突出部９２となっている。 
【００６４】
レフィル容器Ｃｅの装着、取外しにあたっては、押圧操作板８８を押圧操作することによって、前記各実施例と同様に、簡単に装着、取外しができ、また、支持部９０が胴壁３ｅの外周より内方に位置しているので、湯水の侵入を防止することができる。
【実施例７】
【００６５】
次に、前記第６実施例の複合容器において、レフィル容器の構成を変更した第７実施例について説明する。
図１７において、Ａｆは外装容器、Ｂｆはポンプ、Ｃｆはレフィル容器である。
外装容器Ａｆは、第６実施例と同一であるので、同じ符号、または添字ｆを付して図示し、説明を省略する。
【００６６】
外装容器Ａｆの口筒部１ｆには、上端にフランジ９５を設けた空気導入管９６が装着されている。
ポンプＢｆは、第１実施例と同一の構成を有しており、そのシリンダー１５ｆが空気導入管９６に挿入されるようにして、取付キャップを介して口筒部１ｆに取着されている。
【００６７】
レフィル容器Ｃｆは、上端にフランジ９７を突設した胴壁９８と、胴壁９８につづき、中央を凹部とした湾曲面によって成形された底壁９９とからなり、底壁９９の周辺には、糸底１００が垂設されている。
【００６８】
レフィル容器Ｃｆの使用にあたっては、底壁９９が、中央が凹んだ湾曲面となっているので、内容液が少なくなると、中央部に溜まるので、内容液を最後まで吐出し、使い切ることができる。
また、底壁９９の周辺部に、糸底１００が設けられているので、レフィル容器を簡単に掴むことができ、交換作業が容易にできるようになった。
【００６９】
前記各実施例では、外装容器とレフィル容器を断面円形としたが、楕円形、角形であってもよく、断面円形に限定されない。
【００７０】
前記各実施例では、押圧操作板を１８０°の間隔をおいて対向する位置に配設するようにしたが、９０°の間隔で４個所、或いは、指先で操作しやすい適宜の位置に一対の押圧操作板を設け、それに対応する位置に、もう一方の押圧操作板を配設するようにしてもよい。
そうすることによって、レフィル容器のフランジに対する支持部を増やし、押圧操作の容易性とともに、保持の確実性を固めることができる。
したがって、外装容器を保持しつつ押圧操作ができるものであれば、押圧操作板の数、位置は、実施例に限定されない。
【００７１】
さらにまた、前記各実施例では、ポンプに吐出ノズルを設けたノズルヘッドを取着しているが、噴霧器、その他の液注出部材を取着してもよく、吐出ノズルに限定されない。
【産業上の利用可能性】
【００７２】
本発明は、レフィル容器として、上端にフランジを設けた薄肉のカップ状容器を用い、ポンプ付きの外装容器に、フランジ下面に係合し容器を保持する押圧操作板を設けているので、簡単な操作でレフィル容器の装着、取外しが容易にできるようになっている。
【００７３】
レフィル容器は、薄肉のカップ状容器であるので、製造が容易であり、内容物として、シャンプー、リンス、ボディソープ、ハンドソープ、洗剤等、家庭用のポンプ付複合容器のレフィル容器として広く利用できるようになった。
【図面の簡単な説明】
【００７４】
【図１】本発明第１実施例の複合容器の断面立面図である。
【図２】複合容器の側面図である。
【図３】レフィル容器の断面立面図である。
【図４】第２実施例の複合容器の断面立面図である。
【図５】複合容器の側面図である。
【図６】複合容器の別実施例の説明図である。
【図７】レフィル容器の別実施例の説明図である。
【図８】第３実施例の複合容器の断面立面図である。
【図９】複合容器の説明図で、（ａ）は側面図、（ｂ）は切欠部の上面図である。
【図１０】第４実施例の複合容器の断面立面図である。
【図１１】複合容器の説明図で、（ａ）は側面図、（ｂ）は切欠部の上面図である。
【図１２】第５実施例の複合容器の断面立面図である。
【図１３】複合容器の側面図である。
【図１４】押圧操作板の別実施例の説明図で、（ａ）は断面立面図、（ｂ）は側面図、（ｃ）は図（ａ）のａ部の断面立面図である。
【図１５】第６実施例の複合容器の断面立面図である。
【図１６】複合容器の側面図である。
【図１７】第７実施例の複合容器の断面立面図である。
【符号の説明】
【００７５】
Ａ、Ａａ、Ａｂ、Ａｃ、Ａｄ、Ａｅ、Ａｆ  外装容器
Ｂ、Ｂａ、Ｂｂ、Ｂｃ、Ｂｄ、Ｂｅ、Ｂｆ  ポンプ
Ｃ、Ｃａ、Ｃｂ、Ｃｃ、Ｃｄ、Ｃｅ、Ｃｆ  レフィル容器
１、１ａ、１ｂ、１ｃ、１ｄ、１ｅ、１ｆ  口筒部
２、２ａ、２ｂ、２ｃ、２ｄ、２ｅ        頂壁
３、３ａ、３ｂ、３ｃ、３ｄ、３ｅ        胴壁
５、５ａ、５ｂ、６７、７５、７５ａ、８８  押圧操作板
６、６ａ、５１、６３、７２、８５        ヒンジ部
７、７ａ、７３、８６                    溝孔
８、８ａ、５３、６５、７４、８７        溝孔
９、７９、９１              押圧部
１１、５４、６６            支持片
１２                        リブ
１３                        切欠窓
１５、１５ａ、１５ｂ、１５ｆ  シリンダー
１６                        吹込みパイプ
１７                        ノズルヘッド
１８                        取付キャップ
２０、３４、５６、９８      胴壁
２１、３５、５７、９９      底壁
２２、３２、５５、６９、８０、８９、９５、９７  フランジ
２３、２３ａ                開口
２４、２４ａ、２６          シール
２５                        摘み
３０、３０ａ、４５、６８、９６  空気導入管
３３            段部
３７、４６      連通孔
３８、４７      嵌挿環
３９、４８      吸込み筒
４０            空気導入孔
４１、７０      外層
４２、７１      内層
４９、６０      切欠部
５２            溝孔
５８            把持リング
６１            垂直壁
６４            溝孔
７３ａ、７４ａ  スリット
７７            凹部
７８、９０      支持部
１００          糸底
【図１】
2006206094.tif 000003
【図２】
2006206094.tif 000004
【図３】
2006206094.tif 000005
【図４】
2006206094.tif 000006
【図５】
2006206094.tif 000007
【図６】
2006206094.tif 000008
【図７】
2006206094.tif 000009
【図８】
2006206094.tif 000010
【図９】
2006206094.tif 000011
【図１０】
2006206094.tif 000012
【図１１】
2006206094.tif 000013
【図１２】
2006206094.tif 000014
【図１３】
2006206094.tif 000015
【図１４】
2006206094.tif 000016
【図１５】
2006206094.tif 000017
【図１６】
2006206094.tif 000018
【図１７】
2006206094.tif 000019